【手続補正書】
【提出日】平成20年8月13日(2008.8.13)
【手続補正１】
【補正対象書類名】明細書
【補正対象項目名】発明の名称
【補正方法】変更
【補正の内容】
【発明の名称】プログラム、情報記憶媒体、携帯端末装置、及びサーバ装置
【手続補正２】
【補正対象書類名】明細書
【補正対象項目名】特許請求の範囲
【補正方法】変更
【補正の内容】
【特許請求の範囲】
【請求項１】
所定距離内に位置する他の端末装置と無線通信を行って、情報の取得或いは提供が可能な携帯端末装置に内蔵されたコンピュータを、
人物を特定可能な人物特定可能情報を記憶する記憶手段、
前記他の端末装置に記憶されている人物特定可能情報を取得する取得手段、
所与の判定基準に基づき、前記取得手段により取得された人物特定可能情報と、前記記憶手段に記憶された人物特定可能情報と、の合致を判定する判定手段、
前記判定手段により合致判定がなされた場合に報知する報知手段、
として機能させるためのプログラム。
【請求項２】
前記携帯端末装置は、自動的に、前記所定距離内に位置する一乃至複数台の他の端末装置を認識するとともに、当該一乃至複数台の他の端末装置との無線通信回線を確立し、情報の取得或いは提供を可能とする通信方式で前記無線通信を行う通信部を備えており、
前記取得手段が、前記通信部による前記無線通信によって前記他の端末装置に記憶されている人物特定可能情報を取得するように前記コンピュータを機能させるための請求項１に記載のプログラム。
【請求項３】
前記人物特定可能情報には少なくとも人物を識別可能な識別情報が含まれ、
前記判定手段が、前記取得手段により取得された人物特定可能情報に含まれる識別情報と、前記記憶手段に記憶された人物特定可能情報に含まれる識別情報とが合致するか否かに基づき判定するように前記コンピュータを機能させるための請求項１又は２に記載のプログラム。
【請求項４】
前記記憶手段が、前記携帯端末装置の所有者と前記人物特定可能情報によって特定される人物との間の人物関係を示す関係情報を記憶するように前記コンピュータを機能させ、
前記取得手段が、前記他の端末装置に記憶されている人物特定可能情報とともに、当該人物特定可能情報によって特定される人物と前記他の端末装置の所有者との関係を示す関係情報を、前記他の端末装置から取得するように前記コンピュータを機能させ、
前記判定手段により合致判定がなされた場合に、前記記憶手段が記憶する関係情報と、前記取得手段により取得された関係情報とに基づいて、前記携帯端末装置の所有者と前記他の端末装置の所有者との関係性を導出する導出手段として前記コンピュータを機能させ、
前記報知手段が、前記導出手段により導出された関係性を表示制御するように前記コンピュータを機能させる、
ための請求項１〜３の何れか一項に記載のプログラム。
【請求項５】
前記報知手段が、前記携帯端末装置の所有者から前記他の端末装置の所有者に至るまでの人物関係を順に表示制御するように前記コンピュータを機能させるための請求項４に記載のプログラム。
【請求項６】
前記関係情報を識別するための識別標識を記憶する関係標識記憶手段として前記コンピュータを機能させ、
前記報知手段が、前記関係標識記憶手段に記憶された識別標識を用いて前記関係性を表示制御するように前記コンピュータを機能させる、
ための請求項４又は５に記載のプログラム。
【請求項７】
所定距離内に位置する他の端末装置と無線通信を行って、情報の取得或いは提供が可能な携帯端末装置に内蔵されたコンピュータを、
人物を特定可能な人物特定可能情報を、当該人物と当該携帯端末装置の所有者との人物関係を示す関係情報と関連付けて記憶する記憶手段、
前記他の端末装置に記憶されている人物特定可能情報及び関係情報を取得する取得手段、
所与の判定基準に基づき、前記取得手段により取得された人物特定可能情報と、前記記憶手段に記憶された人物特定可能情報と、の合致を判定する判定手段、
前記判定手段により合致判定がなされた場合に、合致判定結果に基づいて、前記取得手段により取得された人物特定可能情報によって特定される人物と前記携帯端末装置の所有者との人物関係を判断し、この判断した人物関係を示す関係情報と関連付けて、前記取得手段により取得された人物特定可能情報を前記記憶手段に追加記憶させる追記手段、
として前記コンピュータを機能させるためのプログラム。
【請求項８】
前記判定手段により合致判定がなされた場合に、合致判定結果に基づいて、前記取得手段により取得された人物特定可能情報によって特定される人物と前記携帯端末装置の所有者との人物関係を判断し、この判断した人物関係を示す関係情報と関連付けて、前記取得手段により取得された人物特定可能情報を前記記憶手段に追加記憶させる追記手段、
として前記コンピュータを機能させるための請求項１〜６の何れか一項に記載のプログラム。
【請求項９】
前記記憶手段が、前記携帯端末装置の所有者を基準とする階層構造状に人物特定可能情報を記憶し、
前記取得手段が、所与の階層に位置する人物特定可能情報を取得対象とする、
ように前記コンピュータを機能させるための請求項１〜８の何れか一項に記載のプログラム。
【請求項１０】
前記記憶手段に記憶されている人物特定可能情報が所与の条件を満たす場合に、所与の演出を行う演出手段、
として前記コンピュータを機能させるための請求項１〜９の何れか一項に記載のプログラム。
【請求項１１】
所定距離内に位置する他の端末装置と無線通信を行って、情報の取得或いは提供が可能な携帯端末装置に内蔵されたコンピュータを、
所与のゲームを実行するゲーム実行手段、
前記他の端末装置における前記所与のゲームの進行状況を取得する取得手段、
前記取得手段により取得された進行状況に基づき、前記ゲームを進行させる手段、
として機能させるためのプログラム。
【請求項１２】
所定距離内に位置する他の端末装置と無線通信を行って、情報の取得或いは提供が可能な携帯端末装置に内蔵されたコンピュータを、
被検索情報を記憶する記憶手段、
前記他の端末装置に記憶されている被検索情報を取得する取得手段、
所与の判定基準に基づき、前記取得手段により取得された被検索情報と、前記記憶手段に記憶された被検索情報と、の合致を判定する判定手段、
前記判定手段により合致判定がなされた場合に報知する報知手段、
として機能させるためのプログラム。
【請求項１３】
所定距離内に位置する他の端末装置と無線通信を行って、情報の取得或いは提供が可能な携帯端末装置に内蔵されたコンピュータを、
トレード情報を記憶する記憶手段、
前記他の端末装置に記憶されているトレード情報を取得する取得手段、
前記取得手段により取得されたトレード情報および前記記憶手段に記憶されたトレード情報に基づき、トレードの成否を判別する判別手段、
前記判別手段によりトレード成立と判別された場合に報知する報知手段、
として機能させるためのプログラム。
【請求項１４】
複数の端末装置と情報の送受信が可能なサーバ装置を、
前記端末装置毎に、人物を特定可能な人物特定可能情報を記憶する記憶手段、
前記複数の端末装置の内、一の端末装置が存する位置と、所与の位置に存する他の端末装置とを特定する特定手段、
所与の判定基準に基づき、前記一の端末装置に対応する人物特定可能情報と、前記他の端末装置に対応する人物特定可能情報と、の合致を判定する判定手段、
前記判定手段により合致判定がなされた場合に、前記一の端末装置及び／又は前記他の端末装置に合致検出情報を送信する送信手段、
として機能させるためのプログラム。
【請求項１５】
前記記憶手段が、前記人物特定可能情報を、対応する端末装置の所有者と当該人物特定可能情報によって特定される人物との間の人物関係を示す関係情報と関連付けて記憶するように前記サーバ装置を機能させ、
前記判定手段により合致判定がなされた場合に、前記記憶手段が記憶する関係情報に基づいて、前記一の端末装置の所有者と前記他の端末装置の所有者との関係性を導出する導出手段として前記サーバ装置を機能させ、
前記送信手段が、前記導出手段により導出された関係性を表示するための情報を送信するように前記サーバ装置を機能させる、
ための請求項１４に記載のプログラム。
【請求項１６】
前記一の端末装置から所望位置情報を受信する受信手段として前記サーバ装置を機能させ、
前記特定手段が、前記受信手段により受信された所望位置情報に基づいて前記他の端末装置を特定するように前記サーバ装置を機能させる、
ための請求項１４又は１５に記載のプログラム。
【請求項１７】
複数の端末装置と情報の送受信が可能なサーバ装置を、
前記端末毎に、人物を特定可能な人物特定可能情報を、当該人物と当該端末装置の所有者との人物関係を示す関係情報と関連付けて記憶する記憶手段、
前記複数の端末装置の内、一の端末装置が存する位置と、所与の位置に存する他の端末装置とを特定する特定手段、
所与の判定基準に基づき、前記一の端末装置に対応する人物特定可能情報と、前記他の端末装置に対応する人物特定可能情報と、の合致を判定する判定手段、
前記判定手段により合致判定がなされた場合に、合致判定結果に基づいて、前記一の端末装置の所有者と、前記他の端末装置に対応する人物特定可能情報によって特定される人物との人物関係を判断し、この判断した人物関係を示す関係情報と関連付けて、前記他の端末装置に対応する人物特定可能情報を前記記憶手段に追加記憶させる追記手段、
として機能させるためのプログラム。
【請求項１８】
前記判定手段により合致判定がなされた場合に、合致判定結果に基づいて、前記一の端末装置の所有者と、前記他の端末装置に対応する人物特定可能情報によって特定される人物との人物関係を判断し、この判断した人物関係を示す関係情報と関連付けて、前記他の端末装置に対応する人物特定可能情報を前記記憶手段に追加記憶させる追記手段、
として前記サーバ装置を機能させるためのプログラム。
【請求項１９】
請求項１〜１８の何れか記載のプログラムを記憶するコンピュータ読み取り可能な情報記憶媒体。
【請求項２０】
所定距離内に位置する他の端末装置と無線通信を行って、情報の取得或いは提供が可能な携帯端末装置であって、
人物を特定可能な人物特定可能情報を記憶する記憶手段と、
前記他の端末装置に記憶されている人物特定可能情報を取得する取得手段と、
所与の判定基準に基づき、前記取得手段により取得された人物特定可能情報と、前記記憶手段に記憶された人物特定可能情報と、の合致を判定する判定手段と、
前記判定手段により合致判定がなされた場合に報知する報知手段と、
を備える携帯端末装置。
【請求項２１】
所定距離内に位置する他の端末装置と無線通信を行って、情報の取得或いは提供が可能な携帯端末装置であって、
人物を特定可能な人物特定可能情報を、当該人物と当該携帯端末装置の所有者との人物関係を示す関係情報と関連付けて記憶する記憶手段と、
前記他の端末装置に記憶されている人物特定可能情報及び関係情報を取得する取得手段と、
所与の判定基準に基づき、前記取得手段により取得された人物特定可能情報と、前記記憶手段に記憶された人物特定可能情報と、の合致を判定する判定手段と、
前記判定手段により合致判定がなされた場合に、合致判定結果に基づいて、前記取得手段により取得された人物特定可能情報によって特定される人物と前記携帯端末装置の所有者との人物関係を判断し、この判断した人物関係を示す関係情報と関連付けて、前記取得手段により取得された人物特定可能情報を前記記憶手段に追加記憶させる追記手段と、
を備える携帯端末装置。
【請求項２２】
複数の端末装置と情報の送受信が可能なサーバ装置であって、
前記端末装置毎に、人物を特定可能な人物特定可能情報を記憶する記憶手段と、
前記複数の端末装置の内、一の端末装置が存する位置と、所与の位置に存する他の端末装置とを特定する特定手段と、
所与の判定基準に基づき、前記一の端末装置に対応する人物特定可能情報と、前記他の端末装置に対応する人物特定可能情報と、の合致を判定する判定手段と、
前記判定手段により合致判定がなされた場合に、前記一の端末装置及び／又は前記他の端末装置に合致検出情報を送信する送信手段と、
を備えるサーバ装置。
【請求項２３】
複数の端末装置と情報の送受信が可能なサーバ装置であって、
前記端末装置毎に、人物を特定可能な人物特定可能情報を、当該人物と当該端末装置の所有者との人物関係を示す関係情報と関連付けて記憶する記憶手段と、
前記複数の端末装置の内、一の端末装置が存する位置と、所与の位置に存する他の端末装置とを特定する特定手段と、
所与の判定基準に基づき、前記一の端末装置に対応する人物特定可能情報と、前記他の端末装置に対応する人物特定可能情報と、の合致を判定する判定手段と、
前記判定手段により合致判定がなされた場合に、合致判定結果に基づいて、前記一の端末装置の所有者と、前記他の端末装置に対応する人物特定可能情報によって特定される人物との人物関係を判断し、この判断した人物関係を示す関係情報と関連付けて、前記他の端末装置に対応する人物特定可能情報を前記記憶手段に追加記憶させる追記手段と、
を備えるサーバ装置。
【請求項２４】
複数の端末装置と情報の送受信が可能なサーバ装置であって、
前記端末装置毎に、人物を特定可能な人物特定可能情報を、当該人物と当該端末装置の所有者との人物関係を示す関係情報と関連付けて記憶する記憶手段と、
前記複数の端末装置の内、一の端末装置と、他の端末装置とを特定する特定手段と、
所与の判定基準に基づき、前記一の端末装置に対応する人物特定可能情報と、前記他の端末装置に対応する人物特定可能情報と、の合致を判定する判定手段と、
前記判定手段により合致判定がなされた場合に、合致判定結果に基づいて、前記一の端末装置の所有者と、前記他の端末装置に対応する人物特定可能情報によって特定される人物との人物関係を判断し、この判断した人物関係を示す関係情報と関連付けて、前記他の端末装置に対応する人物特定可能情報を前記記憶手段に追加記憶させる追記手段と、
を備えるサーバ装置。
【手続補正３】
【補正対象書類名】明細書
【補正対象項目名】０００１
【補正方法】変更
【補正の内容】
【０００１】
【発明の属する技術分野】
本発明は、プログラム、情報記憶媒体、携帯端末装置、及びサーバ装置に関する。
【手続補正４】
【補正対象書類名】明細書
【補正対象項目名】０００３
【補正方法】変更
【補正の内容】
【０００３】
【課題を解決するための手段】
上記課題を解決するための第１の発明は、所定距離内に位置する他の端末装置と無線通信を行って、情報の取得或いは提供が可能な携帯端末装置（例えば、図７の携帯電話機１００）に対して、人物に係る人物情報（例えば、図７の所有者情報６３或いは友人情報６４）を記憶する記憶手段（例えば、図７の記憶装置６０）と、前記他の端末装置に記憶されている人物情報を取得する取得手段（例えば、図７のBluetooth通信装置４１）と、所与の判定基準に基づき、前記取得手段により取得された人物情報と、前記記憶手段に記憶された人物情報と、の合致を判定する判定手段（例えば、図７のＣＰＵ１０）と、前記判定手段により合致判定がなされた場合に報知する報知手段（例えば、図７の表示部３０）と、を機能させるための通信情報である。
【手続補正５】
【補正対象書類名】明細書
【補正対象項目名】０００４
【補正方法】変更
【補正の内容】
【０００４】
また、第２０の発明は、所定距離内に位置する他の端末装置と無線通信を行って、情報の取得或いは提供が可能な携帯端末装置（例えば、図７の携帯電話機１００）であって、人物に係る人物情報（例えば、図７の所有者情報６３或いは友人情報６４）を記憶する記憶手段（例えば、図７の記憶装置４０）と、前記他の端末装置に記憶されている人物情報を取得する取得手段（例えば、図７のBluetooth通信装置４１）と、所与の判定基準に基づき、前記取得手段により取得された人物情報と、前記記憶手段に記憶された人物情報と、の合致を判定する判定手段（例えば、図７のＣＰＵ１０）と、前記判定手段により合致判定がなされた場合に報知する報知手段（例えば、図７の表示装置３０）と、を備える携帯端末装置である。
【手続補正６】
【補正対象書類名】明細書
【補正対象項目名】０００５
【補正方法】変更
【補正の内容】
【０００５】
この第１又は第２０の発明によれば、携帯端末装置に記憶されている人物情報と合致する人物情報が記憶されている端末装置が所定距離内に存することを、報知できる。
即ち、例えば上記合致判定が、それぞれの人物情報に係る人物が同一人物であるか否かの判定である場合、同一人物が登録されている他の端末装置が存することを報知できる。尚、ここで「人物が登録される」とは、該人物に係る人物情報が記憶されることを意味しており、以下においても同様である。
また、記憶されている人物情報が、所有者と何らかのつながり（関係）を有する人物に関する人物情報である場合、携帯端末装置の所有者と何らかのつながり（関係）を有する人物が所定距離内に存在することを、報知できる。尚、ここで携帯端末装置及び端末装置の所有者はその近傍に存在するものとし、携帯端末装置及び端末装置の存在を、所有者の存在にて表現するものとする。また、以下においても同様である。
更に、取得手段による取得対象を、他の端末装置の所有者に関する人物情報であるとすれば、携帯端末装置に登録されている人物が所定距離内に存在することを、報知できる。
【手続補正７】
【補正対象書類名】明細書
【補正対象項目名】０００６
【補正方法】変更
【補正の内容】
【０００６】
第２の発明は、第１の発明の通信情報において、前記無線通信は、前記携帯端末装置が、自動的に、前記所定距離内に位置する一乃至複数台の他の端末装置を認識するとともに、当該一乃至複数台の他の端末装置との無線通信回線を確立し、情報の取得或いは提供を可能とする通信方式である通信情報である。
【手続補正８】
【補正対象書類名】明細書
【補正対象項目名】０００７
【補正方法】変更
【補正の内容】
【０００７】
この第２の発明によれば、携帯端末装置による無線通信方式を、例えばBluetooth（R）とするとともに、所定距離内に存する一乃至複数台の端末装置との情報の取得或いは提供を自動的に実行可能とすることができる。
【手続補正９】
【補正対象書類名】明細書
【補正対象項目名】０００８
【補正方法】変更
【補正の内容】
【０００８】
第３の発明は、第１又は第２の発明の通信情報において、前記人物情報には少なくとも人物を識別するための識別情報（例えば、友人情報６４の項目「電話番号」）が含まれ、前記判定手段が、前記取得手段により取得された人物情報に含まれる識別情報と、前記記憶手段に記憶された人物情報に含まれる識別情報とが合致するか否かに基づき判定するための情報、を含む通信情報である。
【手続補正１０】
【補正対象書類名】明細書
【補正対象項目名】００１０
【補正方法】変更
【補正の内容】
【００１０】
この第３の発明によれば、人物情報に含まれる識別情報に基づき、人物情報の合致を判定できる。
また、識別情報が、上述したグループ分けに従うものであれば、同一の属性を有する人物に係る人物情報が記憶されている他の端末装置が所定距離内に存することを、報知できる。
【手続補正１１】
【補正対象書類名】明細書
【補正対象項目名】００１１
【補正方法】変更
【補正の内容】
【００１１】
第４の発明は、第１〜第３の何れかの発明の通信情報において、前記記憶手段が、前記携帯端末装置の所有者と前記人物情報に係る人物との間の人物関係を示す関係情報（例えば、友人情報６４の項目「直接関係人物」）を記憶するための情報と、前記取得手段が、前記他の端末装置に記憶されている人物情報とともに、当該人物情報に係る人物と前記他の端末装置の所有者との関係を示す関係情報を、前記他の端末装置から取得するための情報と、前記判定手段により合致判定がなされた場合に、前記記憶手段が記憶する関係情報と、前記取得手段により取得された関係情報とに基づいて、前記携帯端末装置の所有者と前記他の端末装置の所有者との関係性を導出する導出手段（例えば、図７のＣＰＵ１０）、を前記携帯端末装置に機能させるための情報と、前記報知手段が、前記導出手段により導出された関係性を表示するための情報と、を含む通信情報である。
【手続補正１２】
【補正対象書類名】明細書
【補正対象項目名】００１２
【補正方法】変更
【補正の内容】
【００１２】
また、第２１の発明は、第２０の発明の携帯端末装置において、前記記憶手段は、前記携帯端末装置の所有者と前記人物情報に係る人物との間の人物関係を示す関係情報（例えば、人物情報６４の項目「直接関係人物」）を記憶し、前記取得手段は、前記他の端末装置に記憶されている人物情報とともに、当該人物情報に係る人物が前記他の端末装置の所有者との関係を示す関係情報（例えば、友人情報６４の項目「直接関係人物」）を前記他の端末装置から取得し、前記判定手段により合致判定がなされた場合に、前記記憶手段が記憶する関係情報と、前記取得手段により取得された関係情報とに基づいて、前記携帯端末装置の所有者と前記他の端末装置の所有者との関係性を導出する導出手段（例えば、図７のＣＰＵ１０）、を備え、前記報知手段は、前記導出手段により導出された関係性を表示する、携帯端末装置である。
【手続補正１３】
【補正対象書類名】明細書
【補正対象項目名】００１３
【補正方法】変更
【補正の内容】
【００１３】
この第４又は第２１の発明によれば、判定手段により人物情報の合致が判定された場合に、携帯端末装置の所有者と、他の端末装置の所有者との間の関係性を導出するとともに、その関係性を報知できる。
【手続補正１４】
【補正対象書類名】明細書
【補正対象項目名】００１４
【補正方法】変更
【補正の内容】
【００１４】
第５の発明は、第４の発明の通信情報において、前記報知手段が、前記携帯端末装置の所有者から前記他の端末装置の所有者に至るまでの人物関係を順に表示するための情報、を含む通信情報である。
【手続補正１５】
【補正対象書類名】明細書
【補正対象項目名】００１５
【補正方法】変更
【補正の内容】
【００１５】
この第５の発明によれば、上記関係性を、例えば間にどのような人物を介しているのか、或いは何人の人物を介しているのかといった、携帯端末装置の所有者から他の端末装置の所有者へ至るまでの順をも含めて報知できる。
【手続補正１６】
【補正対象書類名】明細書
【補正対象項目名】００１６
【補正方法】変更
【補正の内容】
【００１６】
第６の発明は、第４又は第５の発明の通信情報において、前記関係情報を識別するための識別標識を記憶する関係標識記憶手段（例えば、図７の記憶装置６０）、を前記携帯端末装置に機能させるための情報と、前記報知手段が、前記関係標識記憶手段に記憶された識別標識を用いて前記関係性を表示するための情報と、を含む通信情報である。
【手続補正１７】
【補正対象書類名】明細書
【補正対象項目名】００１８
【補正方法】変更
【補正の内容】
【００１８】
この第６の発明によれば、上記関係性を容易に視認可能なよう、報知することができる。
【手続補正１８】
【補正対象書類名】明細書
【補正対象項目名】００１９
【補正方法】変更
【補正の内容】
【００１９】
第７の発明は、所定距離内に位置する他の端末装置と無線通信を行って、情報の取得或いは提供が可能な携帯端末装置（例えば、図７の携帯電話機１００）に対して、人物に係る人物情報（例えば、図７の所有者情報６３或いは友人情報６４）を、当該人物と当該携帯端末装置の所有者との人物関係を示す関係情報（例えば、友人情報６４の項目「直接関係人物」）と関連付けて記憶する記憶手段（例えば、図７の記憶装置６０）と、前記他の端末装置に記憶されている人物情報及び関係情報を取得する取得手段（例えば、図７のBluetooth通信装置４１）と、所与の判定基準に基づき、前記取得手段により取得された人物情報と、前記記憶手段に記憶された人物情報と、の合致を判定する判定手段（例えば、図７のＣＰＵ１０）と、前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段（例えば、図７のＣＰＵ１０）と、を機能させるための通信情報である。
【手続補正１９】
【補正対象書類名】明細書
【補正対象項目名】００２０
【補正方法】変更
【補正の内容】
【００２０】
また、第８の発明は、第１〜第６の何れかの発明の通信情報において、前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段（例えば、図７のＣＰＵ１０）、を前記携帯端末装置に機能させるための情報を含む通信情報である。
【手続補正２０】
【補正対象書類名】明細書
【補正対象項目名】００２１
【補正方法】変更
【補正の内容】
【００２１】
また、第２２の発明は、所定距離内に位置する他の端末装置と無線通信を行って、情報の取得或いは提供が可能な携帯端末装置（例えば、図７の携帯電話機１００）であって、人物に係る人物情報（例えば、図７の所有者情報６３或いは友人情報６４）を、当該人物と当該携帯端末装置の所有者との人物関係を示す関係情報と関連付けて記憶する記憶手段（例えば、図７の記憶装置６０）と、前記他の端末装置に記憶されている人物情報及び関係情報を取得する取得手段（例えば、図７のBluetooth通信装置４１）と、所与の判定基準に基づき、前記取得手段により取得された人物情報と、前記記憶手段に記憶された人物情報と、の合致を判定する判定手段（例えば、図７のＣＰＵ１０）と、前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段（例えば、図７のＣＰＵ１０）と、を備える携帯端末装置である。
【手続補正２１】
【補正対象書類名】明細書
【補正対象項目名】００２２
【補正方法】変更
【補正の内容】
【００２２】
また、第２３の発明は、第２０又は第２１の発明の通信情報において、前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段（例えば、図７のＣＰＵ１０）、を備える通信情報である。
【手続補正２２】
【補正対象書類名】明細書
【補正対象項目名】００２３
【補正方法】変更
【補正の内容】
【００２３】
この第７、第８、第２２、及び第２３の何れかの発明によれば、判定手段により合致判定がなされた場合に、取得された人物情報を、携帯端末装置の所有者とのつながり（関係）を示す関係情報ともに、追加記憶することができる。即ち、他の端末装置に登録されている人物を、携帯端末装置の所有者とのつながり（関係）とともに、追加登録することができる。
更に、追加登録する人物を、合致判定がなされた人物を除くことで、同一人物が重複して登録されることを防止できる。
【手続補正２３】
【補正対象書類名】明細書
【補正対象項目名】００２４
【補正方法】変更
【補正の内容】
【００２４】
第９の発明は、第１〜第８の何れかの発明の通信情報において、前記記憶手段が、前記携帯端末装置の所有者を基準とする階層構造状に人物情報を記憶するための情報と、前記取得手段が、所与の階層に位置する人物情報を取得対象とするための情報と、を含む通信情報である。
【手続補正２４】
【補正対象書類名】明細書
【補正対象項目名】００２５
【補正方法】変更
【補正の内容】
【００２５】
この第９の発明によれば、人物情報が階層構造を有することで、携帯端末装置の所有者と登録人物との関係の深さを表現できる。
また、取得手段による取得対象を、他の端末装置の所有者に係る人物情報のみとすることで、登録人物が所定距離内に存在することを、報知できる。
【手続補正２５】
【補正対象書類名】明細書
【補正対象項目名】００２６
【補正方法】変更
【補正の内容】
【００２６】
第１０の発明は、第１〜第９の何れかの発明の通信情報において、前記記憶手段に記憶されている人物情報が所与の条件を満たす場合に、所与の演出を行う演出手段、を前記携帯端末装置に機能させるための情報を含む通信情報である。
【手続補正２６】
【補正対象書類名】明細書
【補正対象項目名】００２８
【補正方法】変更
【補正の内容】
【００２８】
この第１０の発明によれば、例えば登録人物が一定人数に達した場合、これ以上登録できないことや、また、特定の人物が登録されている他の端末装置が所定距離内に存するといったことを、表示画面やメロディ等により報知することができる。
更に、取得手段により取得された人物情報が前記所与の条件を満たす場合に、前記所与の演出を行うこととしてもよい。
【手続補正２７】
【補正対象書類名】明細書
【補正対象項目名】００２９
【補正方法】変更
【補正の内容】
【００２９】
第１１の発明は、所定距離内に位置する他の端末装置と無線通信を行って、情報の取得或いは提供が可能な携帯端末装置に対して、所与のゲームを実行するゲーム実行手段と、前記他の端末装置における前記所与のゲームの進行状況を取得する取得手段と、前記取得手段により取得された進行状況に基づき、前記所与のゲームを進行させる手段と、を機能させるための情報を含む通信情報である。
【手続補正２８】
【補正対象書類名】明細書
【補正対象項目名】００３０
【補正方法】変更
【補正の内容】
【００３０】
この第１１の発明によれば、例えば他の端末装置から所定のアイテム（キャラクタ、キーワードを含む）を取得することにより、ゲームを進行させる、また、ゲームの展開に行き詰まったときに、他の端末装置から攻略情報を取得し、ゲームを進行させる、といったことができる。
【手続補正２９】
【補正対象書類名】明細書
【補正対象項目名】００３１
【補正方法】変更
【補正の内容】
【００３１】
第１２の発明は、所定距離内に位置する他の端末装置と無線通信を行って、情報の取得或いは提供が可能な携帯端末装置に対して、被検索情報を記憶する記憶手段と、前記他の端末装置に記憶されている被検索情報を取得する取得手段と、所与の判定基準に基づき、前記取得手段により取得された被検索情報と、前記記憶手段に記憶された被検索情報と、の合致を判定する判定手段と、前記判定手段により合致判定がなされた場合に報知する報知手段と、を機能させるための通信情報である。
【手続補正３０】
【補正対象書類名】明細書
【補正対象項目名】００３２
【補正方法】変更
【補正の内容】
【００３２】
この第１２の発明によれば、携帯端末装置に記憶されている被検索情報と、所定距離内に存する他の端末装置に記憶されている被検索情報と、の合致を報知することができる。
そして、例えば被検索情報を人物に係る人物とすれば、第１又は第２０の発明の効果と同様の効果を得ることができる。
【手続補正３１】
【補正対象書類名】明細書
【補正対象項目名】００３３
【補正方法】変更
【補正の内容】
【００３３】
第１３の発明は、所定距離内に位置する他の端末装置と無線通信を行って、情報の取得或いは提供が可能な携帯端末装置に対して、トレード情報を記憶する記憶手段と、前記他の端末装置に記憶されているトレード情報を取得する取得手段と、前記取得手段により取得されたトレード情報および前記記憶手段に記憶されたトレード情報に基づき、トレードの成否を判別する判別手段と、前記判別手段によりトレード成立と判別された場合に報知する報知手段と、を機能させるための通信情報である。
【手続補正３２】
【補正対象書類名】明細書
【補正対象項目名】００３５
【補正方法】変更
【補正の内容】
【００３５】
この第１３の発明によれば、携帯端末装置と他の端末装置との間のトレードの成立を判定するとともに、トレードが成立する他の端末装置が所定距離内に存することを、報知できる。
例えば、携帯端末装置に登録されている「欲しい」品物が「譲りたい」品物として登録されている他の端末装置、或いは「譲りたい」品物が「欲しい」品物として登録されている端末装置が所定距離内に存することを報知できる。また、所有者にとっては、「欲しい」或いは「譲りたい」品物を登録することで、トレードの成立を迅速に知ることが可能となる。
【手続補正３３】
【補正対象書類名】明細書
【補正対象項目名】００３６
【補正方法】変更
【補正の内容】
【００３６】
第１４の発明は、複数の端末装置（例えば、図１６の携帯電話機３００）と情報の送受信が可能なサーバ装置（例えば、図１７のサーバ装置４００）に対して、前記端末装置毎に、人物に係る人物情報（例えば、図１７の人物情報ＤＢ９３）を記憶する記憶手段（例えば、図１７の記憶装置９０）と、前記複数の端末装置の内、一の端末装置が存する位置と、所与の位置に存する他の端末装置とを特定する特定手段（例えば、図１７のＣＰＵ１２）と、所与の判定基準に基づき、前記一の端末装置に対応する人物情報と、前記他の端末装置に対応する人物情報と、の合致を判定する判定手段（例えば、図１７のＣＰＵ１２）と、前記判定手段により合致判定がなされた場合に、前記一の端末装置及び／又は前記他の端末装置に合致検出情報を送信する送信手段（例えば、図１７の通信装置４２）と、を機能させるための通信情報である。
【手続補正３４】
【補正対象書類名】明細書
【補正対象項目名】００３７
【補正方法】変更
【補正の内容】
【００３７】
また、第２４の発明は、複数の端末装置（例えば、図１６の携帯電話機３００）と情報の送受信が可能なサーバ装置（例えば、図１７のサーバ装置４００）であって、前記端末装置毎に、人物に係る人物情報（例えば、図１７の人物情報ＤＢ９３）を記憶する記憶手段（例えば、図１７の記憶装置９０）と、前記複数の端末装置の内、一の端末装置が存する位置と、所与の位置に存する他の端末装置とを特定する特定手段（例えば、図１７のＣＰＵ１２）と、所与の判定基準に基づき、前記一の端末装置に対応する人物情報と、前記他の端末装置に対応する人物情報と、の合致を判定する判定手段（例えば、図１７のＣＰＵ１２）と、前記判定手段により合致判定がなされた場合に、前記一の端末装置及び／又は前記他の端末装置に合致検出情報を送信する送信手段（例えば、図１７の通信装置４２）と、を備えるサーバ装置である。
【手続補正３５】
【補正対象書類名】明細書
【補正対象項目名】００３８
【補正方法】変更
【補正の内容】
【００３８】
この第１４又は第２４の発明によれば、一の端末装置及び／又は所与の位置に存する端末装置に対して、それぞれに対応する人物情報の合致を報知できる。
即ち、例えば上記合致判定が、各々の人物情報に係る人物が同一人物であるか否かの判定である場合、同一人物が登録されていることを報知できる。
また、人物情報が、所有者と何らかのつながり（関係）を有する人物に関する人物情報である場合、何らかのつながり（関係）を有する人物が所定距離内に存在することを、報知できる。
更に、合致手段による合致判定対象を、例えば他の端末装置の所有者に関する人物情報であるとすれば、一の端末装置に対して、登録されている人物が所定距離内に存在することを、報知できる。
【手続補正３６】
【補正対象書類名】明細書
【補正対象項目名】００３９
【補正方法】変更
【補正の内容】
【００３９】
第１５の発明は、第１４の発明の通信情報において、前記記憶手段が、前記人物情報を、対応する端末装置の所有者と当該人物情報に係る人物との間の人物関係を示す関係情報（例えば、図１６のＣＰＵ１１）と関連付けて記憶するための情報と、前記判定手段により合致判定がなされた場合に、前記記憶手段が記憶する関係情報に基づいて、前記一の端末装置の所有者と前記他の端末装置の所有者との関係性を導出する導出手段（例えば、図１６のＣＰＵ１１）、を前記サーバ装置に機能させるための情報と、前記送信手段が、前記導出手段により導出された関係性を表示するための情報を送信するための情報と、を含む通信情報である。
【手続補正３７】
【補正対象書類名】明細書
【補正対象項目名】００４０
【補正方法】変更
【補正の内容】
【００４０】
この第１５の発明によれば、判定手段により人物情報の合致が判定された場合に、一の端末装置の所有者と、所与の位置に存する他の端末装置の所有者との間の関係性を導出するとともに、その関係性を報知できる。
【手続補正３８】
【補正対象書類名】明細書
【補正対象項目名】００４１
【補正方法】変更
【補正の内容】
【００４１】
第１６の発明は、第１４又は第１５の発明の通信情報において、前記一の端末装置から所望位置情報を受信する受信手段、を前記サーバ装置に機能させるための情報と、前記特定手段が、前記受信手段により受信された所望位置情報に基づいて前記他の端末装置を特定するための情報と、を含む通信情報である。
【手続補正３９】
【補正対象書類名】明細書
【補正対象項目名】００４２
【補正方法】変更
【補正の内容】
【００４２】
また、第２５の発明は、第２４の発明のサーバ装置において、前記一の端末装置から所望位置情報を受信する受信手段、を備え、前記特定手段は、前記受信手段により受信された所望位置情報に基づいて前記他の端末装置を特定する、サーバ装置である。
【手続補正４０】
【補正対象書類名】明細書
【補正対象項目名】００４３
【補正方法】変更
【補正の内容】
【００４３】
この第１６又は第２５の発明によれば、一の端末装置が所望する位置（範囲）に存する他の端末装置に対応する人物情報との合致を、報知できる。
更に、合致手段による合致判定対象を、特定された他の端末装置の所有者に関する人物情報であるとすれば、登録されている人物が所望の位置に存在することを、報知できる。
【手続補正４１】
【補正対象書類名】明細書
【補正対象項目名】００４４
【補正方法】変更
【補正の内容】
【００４４】
第１７の発明は、複数の端末装置と情報の送受信が可能なサーバ装置（例えば、図１５のサーバ装置４００）に対して、前記端末毎に、人物に係る人物情報（例えば、図１７の人物情報ＤＢ９３）を、当該人物と当該端末装置の所有者との人物関係を示す関係情報と関連付けて記憶する記憶手段（例えば、図１７の記憶装置９０）と、前記複数の端末装置の内、一の端末装置が存する位置と、所与の位置に存する他の端末装置とを特定する特定手段（例えば、図１７のＣＰＵ１２）と、所与の判定基準に基づき、前記一の端末装置に対応する人物情報と、前記他の端末装置に対応する人物情報と、の合致を判定する判定手段（例えば、図１７のＣＰＵ１２）と、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段（例えば、図１７のＣＰＵ１２）と、を機能させるための通信情報である。
【手続補正４２】
【補正対象書類名】明細書
【補正対象項目名】００４５
【補正方法】変更
【補正の内容】
【００４５】
また、第１８の発明は、第１４〜第１６の何れかの発明の通信情報において、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段（例えば、図１７のＣＰＵ１２）、を機能させるための情報を含む通信情報である。
【手続補正４３】
【補正対象書類名】明細書
【補正対象項目名】００４６
【補正方法】変更
【補正の内容】
【００４６】
また、第２６の発明は、複数の端末装置（例えば、図１５の携帯電話機３００）と情報の送受信が可能なサーバ装置（例えば、図１５のサーバ装置４００）であって、前記端末装置毎に、人物に係る人物情報（例えば、図１７の人物情報ＤＢ９３）を、当該人物と当該端末装置の所有者との人物関係を示す関係情報と関連付けて記憶する記憶手段（例えば、図１７の記憶装置９０）と、前記複数の端末装置の内、一の端末装置が存する位置と、所与の位置に存する他の端末装置とを特定する特定手段（例えば、図１７のＣＰＵ１２）と、所与の判定基準に基づき、前記一の端末装置に対応する人物情報と、前記他の端末装置に対応する人物情報と、の合致を判定する判定手段（例えば、図１７のＣＰＵ１２）と、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段（例えば、図１７のＣＰＵ１２）と、を備えるサーバ装置である。
【手続補正４４】
【補正対象書類名】明細書
【補正対象項目名】００４７
【補正方法】変更
【補正の内容】
【００４７】
また、第２７の発明は、第２４又は第２５の発明のサーバ装置において、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段（例えば、図１７のＣＰＵ１２）、を備えるサーバ装置である。
【手続補正４５】
【補正対象書類名】明細書
【補正対象項目名】００４８
【補正方法】変更
【補正の内容】
【００４８】
また、第２８の発明は、複数の端末装置と情報の送受信が可能なサーバ装置であって、前記端末装置毎に、人物に係る人物情報を、当該人物と当該端末装置の所有者との人物関係を示す関係情報と関連付けて記憶する記憶手段と、前記複数の端末装置の内、一の端末装置と、他の端末装置とを特定する特定手段と、所与の判定基準に基づき、前記一の端末装置に対応する人物情報と、前記他の端末装置に対応する人物情報と、の合致を判定する判定手段と、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段と、を備えるサーバ装置である。
【手続補正４６】
【補正対象書類名】明細書
【補正対象項目名】００４９
【補正方法】変更
【補正の内容】
【００４９】
この第１７、第１８、第２６、第２７、又は第２８の何れかの発明によれば、判定手段により合致判定がなされた場合に、他の端末装置に対応する人物情報を、一の端末装置の所有者とのつながり（関係）を示す関係情報ともに、追加記憶することができる。即ち、他の端末装置に登録されている人物を、一の端末装置の所有者とのつながり（関係）とともに、追加登録することができる。
更に、追加登録する人物を、合致判定がなされた人物を除くことで、同一人物が重複して登録されることを防止できる。
【手続補正４７】
【補正対象書類名】明細書
【補正対象項目名】００５０
【補正方法】変更
【補正の内容】
【００５０】
更に、第１９の発明として、第１〜第１８の何れかの発明の通信情報を記憶する情報記憶媒体を構成することとしてもよい。
【手続補正４８】
【補正対象書類名】明細書
【補正対象項目名】００５１
【補正方法】変更
【補正の内容】
【００５１】
この第１９の発明によれば、第１〜第１８の何れかの発明の効果と同様の効果を有する情報記憶媒体を実現できる。